(57)【要約】
【課題】  自転車などに装着して使用する盗難防止カバーであって、暗い夜道においても、かごの外周に沿ってループ状の反射光を放射し、比較的遠くからでも自転車などの走行を視認し得る盗難防止カバーを提供すること。
【解決手段】  カバー本体２の少なくとも外周縁に、表皮５に反射発光機能を付与したゴム紐３を取り付けて構成した。具体的には、カバー本体９をゴム紐１０で粗いネット状に編んで形成し、前記カバー本体９の外周部に、表皮５に反射発光機能を付与したゴム紐３を取り付けて構成した。
【選択図】      図１
0003101060.tif 000002
【実用新案登録請求の範囲】
【請求項１】
カバー本体（２）の少なくとも外周部に、反射発光機能を付与したゴム紐（３）を取り付けたことを特徴とする自転車などに装着可能な盗難防止カバー。
【請求項２】
カバー本体（９）をゴム紐（１０）で粗いネット状に編んで形成し、前記カバー本体（９）の外周部に、表皮（５）に反射発光機能を付与したゴム紐（３）を取り付けたことを特徴とする自転車などに装着可能な盗難防止カバー。
【請求項３】
カバー本体（１２）を表皮（１５）に反射発光機能を付与したゴム紐（１３）を編んで形成し、前記カバー本体（１２）の外周部に、表皮（５）に反射発光機能を付与したゴム紐（３）を取り付けたことを特徴とする自転車などに装着可能な盗難防止カバー。
【考案の詳細な説明】
【技術分野】
【０００１】
本考案は、自転車やファミリーバイク、スクータなどに装着された、例えばかごの開口部に被せると好適な盗難防止カバーに係り、さらに詳しくは暗い夜道で反射光を放射する反射発光型の盗難防止カバーに関する。
【背景技術】
【０００２】
自転車やファミリーバイク、スクータなどに装着されたかごに、ひったくりなどを防ぐための盗難防止カバーを取り付けることが奨励されている。
【０００３】
ところで、従来から自転車やファミリーバイク、スクータには、暗い夜道での視認用に前照灯や後部反射器などが取り付けられている。
【０００４】
しかし、暗い夜道では前照灯や後部反射器などの従来の視認手段では、視認範囲が狭く、比較的遠方からは視認しにくいという課題があった。
【考案の開示】
【考案が解決しようとする課題】
【０００５】
一般に、前記自転車などに装着されているかごは、自転車の車幅に比較して広い幅に形成されている。したがって、このかごの開口部に被せて使用する盗難防止カバーは、その使用状態において、かごの外形に沿い、広い範囲にわたって外郭線が現れる。
【０００６】
本考案で解決しようとする課題は、前述のごとく自転車前部に取付けられたかごや自転車後部の荷台または荷台上に取付けられたかご等の外形に沿って、広い範囲にわたって現れる外郭線に着目し、この外郭線に反射発光機能を持たせることによって、暗い夜道において、比較的遠くからでも自転車などの走行をきわめて容易に視認し得る盗難防止カバーを提供しようとするものである。
【課題を解決するための手段】
【０００７】
本考案は、前記課題を解決するため、カバー本体２の少なくとも外周部に、反射発光機能を付与したゴム紐３を取り付けている。
【０００８】
また、本考案は前記課題を解決するため、カバー本体９をゴム紐１０で粗いネット状に編んで形成し、前記カバー本体９の外周部に、表皮５に反射発光機能を付与したゴム紐３を取り付けている。
【０００９】
さらに、本考案は前記課題を解決するため、カバー本体１２を表皮１５に反射発光機能を付与したゴム紐１３を編んで形成し、前記カバー本体１２の外周部に、表皮５に反射発光機能を付与したゴム紐３を取り付けている。
【考案の効果】
【００１０】
本考案では、カバー本体２の少なくとも外周部に、反射発光機能を付与したゴム紐３を取り付けているので、自転車などに装着されたかごまたは荷台等に、本考案に係る盗難防止カバー１を被せると、暗い夜道においてかごや荷台等の外周に沿い、ゴム紐３からループ状の反射光が放射される。したがって、自転車などの走行を、暗い夜道において、対向方向および交差方向の比較的遠くからでも明確に視認することができる効果があり、接近する車の運転者は容易にその存在に気付き、避けてくれるので、事故を未然に防止し得、自転車などに乗っている人と、歩行者や他の乗り物による走行者間の通行の安全を図ることができるという効果がある。
【００１１】
また、本考案ではカバー本体９をゴム紐１０で粗いネット状に編んで形成しているので、かごの形状いかんを問わず、かごの開口部や荷台等の外周にフィットさせ得る効果がある。さらに、この考案においてもカバー本体９の外周部に反射発光機能を付与したゴム紐３を取り付けているので、このゴム紐３からかごの外周に沿ってループ状の反射光が放射されるため、自転車などによる走行を、暗い夜道において、対向方向および交差方向の比較的遠くからでも明確に視認することができるという効果がある。
【００１２】
さらに、本考案ではカバー本体１２を、表皮１５に反射発光機能を付与したゴム紐１３を編んで形成し、しかもカバー本体１２の外周部に、表皮５に反射発光機能を付与したゴム紐３を取り付けているので、恰かも盗難防止カバーの全面から反射光が発散されているように見えるため、自転車などによる走行を、遠くからでもより一層明確に視認することができるという効果がある。
【考案を実施するための最良の形態】
【００１３】
以下、本考案の実施例を図面に基づいて説明する。
【実施例１】
【００１４】
図１は本考案盗難防止カバーの実施例１を示す平面図、図２はカバー本体の外周部に取り付けるゴム紐の拡大斜視図、図３はこの実施例１に係る盗難防止カバーを自転車の前側のかごに取り付けて使用した状態の説明図である。
【００１５】
この実施例１の盗難防止カバー１は、図１に示すように、カバー本体２の外周部にゴム紐３を取り付けて構成されている。
【００１６】
前記カバー本体２は、例えば樹脂製糸，天然繊維糸またはこれらの混紡によりネット状に形成されていて、伸縮性を有している。また、このカバー本体２は自転車などの車輪に装着されたかごの開口部を覆い得る大きさに形成されている。
【００１７】
前記ゴム紐３は、図２に示すように、紐状のゴム芯４を表皮５で被覆して形成されている。この表皮５の外周には、適宜の間隔をおいて例えば縞状に、反射材，発光材または蓄光材で反射発光層６が施されている。これにより、ゴム紐３に反射発光機能が付与されている。
【００１８】
前記ゴム紐３は、カバー本体２の外周部に回して、複数個の止め金７により止着されている。
【００１９】
前記カバー本体２の外周部の互いに対向する２辺に、それぞれ複数個ずつフック８が取り付けられている。これらのフック８は、自転車などに装着されたかごに盗難防止カバー１を取り付けるためのものである。
【００２０】
前述のごとく構成した盗難防止カバー１を使用する場合は、図３に示す例では自転車２０の前側に装着されたかご２１の開口部にカバー本体２を被せ、ゴム紐３で止めるとともに、フック８で掛け止めて使用する。なお、このカバーは、かごのみならず、自転車などの後部に設けられた荷台や荷台上に取付けられたかご等にも装着しても良いことは勿論である。
【００２１】
例えばかごへの使用状態において、自転車２０で暗い夜道を走行すると、カバー本体２の外周部に取り付けられたゴム紐３からかご２１の外周に沿ってループ状に反射光が放射される。したがって、暗い夜道であっても、自転車２０での走行を対向方向および交差方向の比較的遠くからでも明確に視認することができる。これにより、暗い夜道での自転車２０での走行者と、歩行者や他の乗り物による走行者間の通行の安全を確保することができる。
【００２２】
なお、この実施例１において、カバー本体２は単なるシート状の生地で形成してもよく、多数の孔を配列した生地で形成してもよい。
【００２３】
また、ゴム紐３への反射発光機能の付与手段は表皮５の外周全面に反射発光層６を施してもよく、反射発光性を付与した繊維の織布で表皮５を作り、紐状ゴム芯４を被覆してもよい。さらには、紐状のゴムに直接、前記反射発光機能を施してもよい。
【００２４】
さらに、カバー本体２にゴム紐３を取り付ける手段も、図示の止め金７を用いるものに限らず、糸で括り付けてもよい。あるいは接着剤を用いても良い。
【００２５】
また、ゴム紐３は丸いものに限らず、バンド状のものであってもよい。
【００２６】
さらにまた、カバー本体２の外周部に取り付けられたゴム紐３と平行に、または波形などに複数列取り付けてもよい。
【実施例２】
【００２７】
図４は本考案盗難防止カバーの実施例２を示す平面図、図５はカバー本体に対するゴム紐の結合手段が異なる実施形態の平面図である。
【００２８】
これら図４および図５に示す実施例２の盗難防止カバー１は、カバー本体９がゴム紐１０で粗いネット状に編んで形成されている。
【００２９】
前記カバー本体９の外周部には、実施例１と同様、反射発光機能を付与したゴム紐３が取り付けられている。前記カバー本体９に対してゴム紐３は、図４に示す実施形態では止め金７で止着して取り付けられ、図５に示す実施形態ではカバー本体１０を形成しているゴム紐１０の結び目１１で一緒に結んで取り付けられている。
【００３０】
この実施例２においても、カバー本体９の外周部に、反射発光機能を付与したゴム紐３を取り付けているので、この盗難防止カバー１を例えば図３に示す自転車２０のかご２１に取り付けて使用したときは、暗い夜道において、ゴム紐３からかご２１の外周に沿ってループ状に反射光が放射される。したがって、暗い夜道であっても、比較的遠くからでも自転車２０での走行を視認することができる。
【００３１】
また、カバー本体９をゴム紐１０を編んで形成しているので、伸縮性に富み、したがってかごの形状いかんを問わず、かごの開口部の外周にフィットさせて取り付けることができる。
【００３２】
この実施例２の他の構成，作用については、前記実施例１と同様である。
【実施例３】
【００３３】
続いて、図６は本考案盗難防止カバーの実施例３を示す平面図、図７はカバー本体を形成するゴム紐の拡大斜視図である。
【００３４】
これら図６および図７に示す実施例３の盗難防止カバー１では、カバー本体１２がゴム紐１３を編んで形成されている。
【００３５】
前記カバー本体１２を形成しているゴム紐１３は、前記ゴム紐３と同じく、紐状ゴム芯１４に、反射発光層１６を施した表皮１５で被覆して形成されている。
【００３６】
前記カバー本体１２の外周縁には、反射発光機能を付与したゴム紐３が取り付けられている。このゴム紐３は、図６に示す実施形態ではカバー本体１２に止め金７により取り付けられている。
【００３７】
この実施例３の盗難防止カバー１では、カバー本体１２をも反射発光機能を付与したゴム紐１３を編んで形成しているので、恰かも盗難防止カバー１の全面から反射光が放射されているように見える。したがって、暗い夜道においても、自転車などによる走行を遠くからでもより一層明確に視認することができる。
【００３８】
この実施例３の他の構成，作用については、前記実施例１および実施例２と同様である。
【００３９】
なお、本考案の前記実施例１，２および３共、自転車に装着されたかごに取り付けて使用する場合に限らず、ファミリーバイクやスクータなどの車輪に装着されたかごやその荷台等にも取り付けて使用できること、勿論である。
【図面の簡単な説明】
【００４０】
【図１】本考案の実施例１を示す平面図である。
【図２】実施例１において、カバー本体の外周縁に取り付けるゴム紐の拡大斜視図である。
【図３】実施例１に係る盗難防止カバーを自転車の前側のかごに取り付けて使用している状態の説明図である。
【図４】本考案の実施例２を示す平面図である。
【図５】実施例２において、カバー本体に対するゴム紐の結合手段が異なる実施形態の平面図である。
【図６】本考案の実施例３を示す平面図である。
【図７】実施例３において、カバー本体を形成するゴム紐の拡大斜視図である。
【符号の説明】
【００４１】
１    盗難防止カバー
２    カバー本体
３    反射発光機能を付与したゴム紐
４    紐状ゴム芯
５    ゴム紐の表皮
６    反射発光層
９    カバー本体
１０  カバー本体を形成しているゴム紐
１２  カバー本体
１３  反射発光機能を付与しかつカバー本体を形成するゴム紐
１４  紐状ゴム芯
１５  ゴム紐の表皮
１６  反射発光層
【図１】
0003101060.tif 000003
【図２】
0003101060.tif 000004
【図３】
0003101060.tif 000005
【図４】
0003101060.tif 000006
【図５】
0003101060.tif 000007
【図６】
0003101060.tif 000008
【図７】
0003101060.tif 000009